【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
複数種類の画像商材の中から、複数のユーザのうちの少なくとも一人の第１ユーザによって設定された第１の画像商材を、ネットワークを介して、前記第１ユーザの端末装置から取得する商材取得部と、
前記第１の画像商材において使用する画像の使用枚数範囲を取得する枚数範囲取得部と、
前記画像のアップロードを催促する第１の催促情報を、前記ネットワークを介して、前記複数のユーザの端末装置に対して送付するアップロード催促部と、
前記第１の催促情報が送付されてから第１の一定期間、前記複数のユーザの端末装置からアップロードされた第１の画像群を、前記ネットワークを介して取得する画像取得部と、
前記第１の一定期間が経過した後、前記第１の画像群の枚数を算出する画像数算出部と、
前記第１の画像群の枚数が前記使用枚数範囲外である場合に、前記第１の画像群の枚数に応じて、前記第１の画像商材とは異なる選択肢を提案する提案情報を、前記ネットワークを介して、前記第１ユーザの端末装置に対して送付する商材提案部とを備え、
前記提案情報は、第１の画像商材とは異なる種類の画像商材の情報を含む画像処理装置。
【請求項２】
前記商材提案部は、前記第１の画像群の枚数が前記使用枚数範囲の上限枚数を超えており、かつ、前記第１の画像商材よりも多い画像を使用する画像商材が前記複数種類の画像商材の中に含まれている場合に、前記異なる選択肢として前記第１の画像商材よりも多い画像を使用する画像商材を提案する提案情報を送付する請求項１に記載の画像処理装置。
【請求項３】
前記商材提案部は、前記第１の画像群の枚数が前記使用枚数範囲の上限枚数を超えており、かつ、前記第１の画像商材よりもページ数が多い画像商材が前記複数種類の画像商材の中に含まれている場合に、前記異なる選択肢として前記第１の画像商材よりもページ数が多い画像商材を提案する提案情報を送付する請求項１または２に記載の画像処理装置。
【請求項４】
前記商材提案部は、前記第１の画像群の枚数が前記使用枚数範囲の下限枚数未満であり、かつ、前記第１の画像商材よりも少ない画像を使用する画像商材が前記複数種類の画像商材の中に含まれている場合に、前記異なる選択肢として前記第１の画像商材よりも少ない画像を使用する画像商材を提案する提案情報を送付する請求項１〜３のいずれか一項に記載の画像処理装置。
【請求項５】
前記商材提案部は、前記第１の画像群の枚数が前記使用枚数範囲の下限枚数未満であり、かつ、前記第１の画像商材よりもページ数が少ない画像商材が前記複数種類の画像商材の中に含まれている場合に、前記異なる選択肢として前記第１の画像商材よりもページ数が少ない画像商材を提案する提案情報を送付する請求項１〜４のいずれか一項に記載の画像処理装置。
【請求項６】
前記商材提案部は、前記第１の画像群の枚数が前記使用枚数範囲の下限枚数未満である場合に、前記異なる選択肢として前記第１の画像商材の使用を断念することを提案する提案情報を送付する請求項１〜３のいずれか一項に記載の画像処理装置。
【請求項７】
さらに、前記第１の画像群の枚数が前記使用枚数範囲の下限枚数未満である場合に、前記第１の画像群をトリミングして加工画像を作成するトリミング部を備え、
前記画像数算出部は、前記第１の一定期間が経過した後、前記第１の画像群の枚数および前記加工画像の枚数を加算して第１の合計枚数を算出し、
前記商材提案部は、前記第１の合計枚数が前記下限枚数未満であり、かつ、前記第１の画像商材よりも少ない画像を使用する画像商材が前記複数種類の画像商材の中に含まれている場合に、前記異なる選択肢として前記第１の画像商材よりも少ない画像を使用する画像商材を提案する提案情報を送付する請求項１〜３のいずれか一項に記載の画像処理装置。
【請求項８】
さらに、前記第１の画像群の枚数が前記使用枚数範囲の下限枚数未満である場合に、前記第１の画像群をトリミングして加工画像を作成するトリミング部を備え、
前記画像数算出部は、前記第１の一定期間が経過した後、前記第１の画像群の枚数および前記加工画像の枚数を加算して第１の合計枚数を算出し、
前記商材提案部は、前記第１の合計枚数が前記下限枚数未満であり、かつ、前記第１の画像商材よりもページ数が少ない画像商材が前記複数種類の画像商材の中に含まれている場合に、前記異なる選択肢として前記第１の画像商材よりもページ数が少ない画像商材を提案する提案情報を送付する請求項１〜３および７のいずれか一項に記載の画像処理装置。
【請求項９】
さらに、前記第１の画像群の枚数が前記使用枚数範囲の下限枚数未満である場合に、前記第１の画像群をトリミングして加工画像を作成するトリミング部を備え、
前記画像数算出部は、前記第１の一定期間が経過した後、前記第１の画像群の枚数および前記加工画像の枚数を加算して第１の合計枚数を算出し、
前記商材提案部は、前記第１の合計枚数が前記下限枚数未満である場合に、前記異なる選択肢として前記第１の画像商材の使用を断念することを提案する提案情報を送付する請求項１〜３のいずれか一項に記載の画像処理装置。
【請求項１０】
前記アップロード催促部は、前記第１の画像群の枚数が前記下限枚数未満である場合に、前記画像のアップロードを催促する第２の催促情報を、前記複数のユーザの端末装置に対して送付する請求項１〜３、７および８のいずれか一項に記載の画像処理装置。
【請求項１１】
前記画像取得部は、前記第２の催促情報が送付されてから第２の一定期間、前記複数のユーザの端末装置からアップロードされた第２の画像群を取得し、
前記画像数算出部は、前記第２の一定期間が経過した後、前記第１の画像群の枚数および前記第２の画像群の枚数を加算して第２の合計枚数を算出し、
前記商材提案部は、前記第２の合計枚数が前記下限枚数未満であり、かつ、前記第１の画像商材よりも少ない画像を使用する画像商材が前記複数種類の画像商材の中に含まれている場合に、前記異なる選択肢として前記第１の画像商材よりも少ない画像を使用する画像商材を提案する提案情報を送付する請求項１０に記載の画像処理装置。
【請求項１２】
前記画像取得部は、前記第２の催促情報が送付されてから第２の一定期間、前記複数のユーザの端末装置からアップロードされた第２の画像群を取得し、
前記画像数算出部は、前記第２の一定期間が経過した後、前記第１の画像群の枚数および前記第２の画像群の枚数を加算して第２の合計枚数を算出し、
前記商材提案部は、前記第２の合計枚数が前記下限枚数未満であり、かつ、前記第１の画像商材よりもページ数が少ない画像商材が前記複数種類の画像商材の中に含まれている場合に、前記異なる選択肢として前記第１の画像商材よりもページ数が少ない画像商材を提案する提案情報を送付する請求項１０または１１に記載の画像処理装置。
【請求項１３】
前記画像取得部は、前記第２の催促情報が送付されてから第２の一定期間、前記複数のユーザの端末装置からアップロードされた第２の画像群を取得し、
前記画像数算出部は、前記第２の一定期間が経過した後、前記第１の画像群の枚数および前記第２の画像群の枚数を加算して第２の合計枚数を算出し、
前記商材提案部は、前記第２の合計枚数が前記下限枚数未満である場合に、前記異なる選択肢として前記第１の画像商材の使用を断念することを提案する提案情報を送付する請求項１０に記載の画像処理装置。
【請求項１４】
前記アップロード催促部は、前記第１の催促情報を、前記第１ユーザの端末装置に対して送付し、前記第１の催促情報を前記第１のユーザ以外のユーザの端末装置に対して送付する送付指示を、前記第１ユーザの端末装置から取得し、前記送付指示に応じて、前記第１の催促情報を、前記第１ユーザ以外のユーザの端末装置に対して送付する請求項１〜１３のいずれか一項に記載の画像処理装置。
【請求項１５】
前記アップロード催促部は、電子メールまたはメッセージを送受信するアプリケーションを用いて、前記第１の催促情報を、前記複数のユーザの端末装置に対して送付する請求項１〜１４のいずれか一項に記載の画像処理装置。
【請求項１６】
前記枚数範囲取得部は、前記第１の画像商材のサイズおよびページ数のうちの少なくとも一方に応じて前記使用枚数範囲を取得する請求項１〜１５のいずれか一項に記載の画像処理装置。
【請求項１７】
前記複数種類の画像商材は、各々サイズおよびページ数のうちの少なくとも一方が異なる複数種類の画像商材を含む請求項１〜１６のいずれか一項に記載の画像処理装置。
【請求項１８】
前記複数種類の画像商材には少なくとも、フォトブック、シャッフルプリント及びカレンダが含まれる請求項１〜１７のいずれか一項に記載の画像処理装置。
【請求項１９】
商材取得部が、複数種類の画像商材の中から、複数のユーザのうちの少なくとも一人の第１ユーザによって設定された第１の画像商材を、ネットワークを介して、前記第１ユーザの端末装置から取得するステップと、
枚数範囲取得部が、前記第１の画像商材において使用する画像の使用枚数範囲を取得するステップと、
アップロード催促部が、前記画像のアップロードを催促する第１の催促情報を、前記ネットワークを介して、前記複数のユーザの端末装置に対して送付するステップと、
画像取得部が、前記第１の催促情報が送付されてから第１の一定期間、前記複数のユーザの端末装置からアップロードされた第１の画像群を、前記ネットワークを介して取得するステップと、
画像数算出部が、前記第１の一定期間が経過した後、前記第１の画像群の枚数を算出するステップと、
商材提案部が、前記第１の画像群の枚数が前記使用枚数範囲外である場合に、前記第１の画像群の枚数に応じて、前記第１の画像商材とは異なる選択肢を提案する提案情報を、前記ネットワークを介して、前記第１ユーザの端末装置に対して送付するステップとを含み、
前記提案情報は、第１の画像商材とは異なる種類の画像商材の情報を含む画像処理方法。
【請求項２０】
請求項１９に記載の画像処理方法の各々のステップをコンピュータに実行させるためのプログラム。
【請求項２１】
請求項１９に記載の画像処理方法の各々のステップをコンピュータに実行させるためのプログラムが記録されたコンピュータ読み取り可能な記録媒体。